【手続補正書】
【提出日】平成30年2月2日(2018.2.2)
【手続補正１】
【補正対象書類名】明細書
【補正対象項目名】００２０
【補正方法】変更
【補正の内容】
【００２０】
【図１】本発明の一態様によるパチンコ遊技機の正面図である。
【図２】パチンコ遊技機に搭載された各種の制御基板などを示す構成図である。
【図３】演出制御コマンドの内容の一例などを示す説明図である。
【図４】主基板の側にてカウントされる遊技用乱数を例示する説明図である。
【図５】変動カテゴリ及び変動パターンを例示する図である。
【図６】特図表示結果決定テーブルの構成例を示す図である。
【図７】大当り種別決定テーブルの構成例を示す図である。
【図８】遊技制御用データ保持エリアの構成例を示すブロック図である。
【図９】演出制御用データ保持エリアの構成例を示すブロック図などである。
【図１０】遊技制御用タイマ割込み処理の一例を示すフローチャートである。
【図１１】特別図柄プロセス処理の一例を示すフローチャートである。
【図１２】演出制御メイン処理の一例を示すフローチャートである。
【図１３】コマンド解析処理の一例を示すフローチャートである。
【図１４】演出制御プロセス処理を示すフローチャートである。
【図１５】演出制御プロセス処理における入賞時演出決定処理の一例を示すフローチ    ャートである。
【図１６】保留表示の表示態様の決定割合の設定例を示す図である。
【図１７】可変表示開始設定処理の一例を示すフローチャートである。
【図１８】アクティブ表示変化演出実行有無決定テーブルによる決定割合の設定例を    示す図である。
【図１９】アクティブ表示変化演出実行時の演出態様の決定割合の設定例を示す図で    ある。
【図２０】第１系統変化演出実行時の演出実行タイミング決定テーブルによる決定割    合の設定例を示す図である。
【図２１】可変表示中演出処理の一例を示すフローチャートである。
【図２２Ａ】画像表示装置における表示動作例を示す図である。
【図２２Ｂ】画像表示装置における表示動作例を示す図である。
【図２３Ａ】画像表示装置における表示動作例を示す図である。
【図２３Ｂ】画像表示装置における表示動作例を示す図である。
【図２４Ａ】画像表示装置における表示動作例を示す図である。
【図２４Ｂ】画像表示装置における表示動作例を示す図である。
【図２５Ａ】画像表示装置における表示動作例を示す図である。
【図２５Ｂ】画像表示装置における表示動作例を示す図である。
【図２６Ａ】画像表示装置における表示動作例を示す図である。
【図２６Ｂ】画像表示装置における表示動作例を示す図である。
【図２７Ａ】画像表示装置における表示動作例を示す図である。
【図２７Ｂ】画像表示装置における表示動作例を示す図である。
【図２８】画像表示装置における表示動作例を示す図である。
【図２９】画像表示装置における表示動作例を示す図である。
【図３０】スーパーリーチのリーチ演出が実行される場合のタイミングチャートの一例を示す図である。
【図３１】スーパーリーチのリーチ演出が実行される場合の表示画面の遷移を示す図である。
【手続補正２】
【補正対象書類名】明細書
【補正対象項目名】０４０６
【補正方法】変更
【補正の内容】
【０４０６】
図２８は、画像表示装置５における表示動作例を示す図である。具体的には、（ａ）〜
（ｆ）、図２８の（ｇ）〜（ｉ）は、画像表示装置５における各場面を時系列に並べたも
のである。また、図２８は、第２系統変化演出の成功演出を表し、アクティブ表示変化演
出の演出態様として、図１９の（Ｂ）に示したアクティブ表示変化演出パターンＣＰ３（
変化有（太さ「極太」））がセットされているものとする。ここで、図２８に示す表示動
作例と、図２７Ａ、図２７Ｂに示した表示動作例とは、リーチ成立のタイミングが異なる
。それ以外は同様であるので、異なる部分を中心に説明する。また失敗演出については説
明を省略する。
【手続補正３】
【補正対象書類名】明細書
【補正対象項目名】０４０７
【補正方法】変更
【補正の内容】
【０４０７】
（ａ）は、アクティブ表示エリアＡＨＡにアクティブ表示ＡＨ（当該可変表示を開始さ
せるときに当該可変表示に対応する保留表示を所定のアクティブ表示エリアＡＨＡに移動
させたアクティブ表示、または、当該可変表示に対応するアクティブ表示に応じた情報を
表す特別画像）が表示され、第１始動入賞記憶表示エリア５ＨＬに保留表示Ｈ１、保留表
示Ｈ２、及び、保留表示Ｈ３が表示されている場面である。
【手続補正４】
【補正対象書類名】明細書
【補正対象項目名】０４０８
【補正方法】変更
【補正の内容】
【０４０８】
（ｃ）は、（ｂ）の場面において可変表示を開始してから第２系統変化演出として画像
表示装置５の左上部に「激熱」の文字が描画された矢Ｙ２が表示されている。ここで、（
ａ）から（ｃ）までが、第２系統変化演出における成功演出と失敗演出とで共通で実行さ
れる共通演出である。
【手続補正５】
【補正対象書類名】明細書
【補正対象項目名】０４０９
【補正方法】変更
【補正の内容】
【０４０９】
そして、（ｄ）の場面は、（ｃ）の場面において再可変表示中に表示された第２系統変
化演出である矢Ｙ２が画像表示装置５の下部に向けて移動して、アクティブ表示枠ＡＨＷ
に衝突している場面である。
【手続補正６】
【補正対象書類名】明細書
【補正対象項目名】０４１０
【補正方法】変更
【補正の内容】
【０４１０】
そして、（ｅ）の場面では、アクティブ表示枠ＡＨＷに矢Ｙ２が衝突した後、アクティ
ブ表示枠ＡＨＷの線の太さが「極太」の表示態様として変化し、飾り図柄表示エリア５Ｌ
の飾り図柄および飾り図柄表示エリア５Ｒの飾り図柄が、リーチ態様とは異なる表示態様
で停止表示されている場面である。
【手続補正７】
【補正対象書類名】明細書
【補正対象項目名】０４１１
【補正方法】変更
【補正の内容】
【０４１１】
（ｆ）の場面では、飾り図柄表示エリア５Ｃに「好機」と表記されたチャンス図柄が低
速スクロールで画像表示装置５に現れ、図２８の（ｇ）の場面においてチャンス図柄が飾
り図柄表示エリア５Ｃに仮停止する。そして、図２８の（ｈ）の場面において、仮停止し
たすべての飾り図柄を再度可変表示（再可変表示）させる。
【手続補正８】
【補正対象書類名】明細書
【補正対象項目名】０４１２
【補正方法】変更
【補正の内容】
【０４１２】
そして、図２８の（ｉ）の場面において、擬似連変動が終了して飾り図柄表示エリア５
Ｌの飾り図柄および飾り図柄表示エリア５Ｒの飾り図柄がリーチ態様となって表示される
。
【手続補正９】
【補正対象書類名】明細書
【補正対象項目名】０４１３
【補正方法】変更
【補正の内容】
【０４１３】
図２９は、画像表示装置５における表示動作例を示す図である。具体的には、図２９の
（ａ）〜（ｆ）、（ｇ）〜（ｉ）は、画像表示装置５における各場面を時系列に並べたも
のである。また、図２９は、第２系統変化演出の成功演出を表し、アクティブ表示変化演
出の演出態様として、図１９の（Ｂ）に示したアクティブ表示変化演出パターンＣＰ３（
変化有（太さ「極太」））がセットされているものとする。ここで、図２８に示す表示動
作例と、図２９に示した表示動作例とは、リーチ成立のタイミングが異なる。それ以外は
同様であるので、異なる部分を中心に説明する。また失敗演出については説明を省略する
。
【手続補正１０】
【補正対象書類名】明細書
【補正対象項目名】０４１４
【補正方法】変更
【補正の内容】
【０４１４】
図２９の（ａ）は、アクティブ表示エリアＡＨＡにアクティブ表示ＡＨ（当該可変表示
を開始させるときに当該可変表示に対応する保留表示を所定のアクティブ表示エリアＡＨ
Ａに移動させたアクティブ表示、または、当該可変表示に対応するアクティブ表示に応じ
た情報を表す特別画像）が表示され、第１始動入賞記憶表示エリア５ＨＬに保留表示Ｈ１
、保留表示Ｈ２、及び、保留表示Ｈ３が表示されている場面である。
【手続補正１１】
【補正対象書類名】明細書
【補正対象項目名】０４１５
【補正方法】変更
【補正の内容】
【０４１５】
図２９の（ｃ）は、図２９の（ｂ）の場面において可変表示を開始してから第２系統変
化演出として画像表示装置５の左上部に「激熱」の文字が描画された矢Ｙ２が表示されて
いる。ここで、図２９の（ａ）から図２９の（ｃ）までが、第２系統変化演出における成
功演出と失敗演出とで共通で実行される共通演出である。
【手続補正１２】
【補正対象書類名】明細書
【補正対象項目名】０４１６
【補正方法】変更
【補正の内容】
【０４１６】
そして、図２９の（ｄ）の場面は、図２９の（ｃ）の場面において再可変表示中に表示
された第２系統変化演出である矢Ｙ２が画像表示装置５の下部に向けて移動して、アクテ
ィブ表示枠ＡＨＷに衝突している場面である。
【手続補正１３】
【補正対象書類名】明細書
【補正対象項目名】０４１７
【補正方法】変更
【補正の内容】
【０４１７】
そして、図２９の（ｅ）の場面では、アクティブ表示枠ＡＨＷに矢Ｙ２が衝突した後、
アクティブ表示枠ＡＨＷの線の太さが「極太」の表示態様として変化し、飾り図柄表示エ
リア５Ｌの飾り図柄および飾り図柄表示エリア５Ｒの飾り図柄が、リーチ態様で停止表示
されている場面である。
【手続補正１４】
【補正対象書類名】明細書
【補正対象項目名】０４１８
【補正方法】変更
【補正の内容】
【０４１８】
図２９の（ｆ）の場面では、飾り図柄表示エリア５Ｃに「好機」と表記されたチャンス
図柄が低速スクロールで画像表示装置５に現れ、図２９の（ｇ）の場面においてチャンス
図柄が飾り図柄表示エリア５Ｃに仮停止する。そして、（ｈ）の場面において、仮停止し
たすべての飾り図柄を再度可変表示（再可変表示）させる。
【手続補正１５】
【補正対象書類名】明細書
【補正対象項目名】０４１９
【補正方法】変更
【補正の内容】
【０４１９】
そして、（ｉ）の場面において、擬似連変動が終了して飾り図柄表示エリア５Ｌの飾り
図柄および飾り図柄表示エリア５Ｒの飾り図柄がリーチ態様となって表示される。
【手続補正１６】
【補正対象書類名】明細書
【補正対象項目名】０４２０
【補正方法】変更
【補正の内容】
【０４２０】
ここで、図２９において、飾り図柄表示エリア５Ｌの飾り図柄および飾り図柄表示エリ
ア５Ｒの飾り図柄がリーチ態様で表示される場面例は、図２９の（ｅ）と（ｉ）とがある
が、図２９の様に、リーチが成立した後に擬似連変動となる場合には、図２０における「
タイミング３」を（ｉ）のタイミングとして扱うものとする。つまり、図２９におけるリ
ーチ成立とは、擬似連変動が終了して飾り図柄表示エリア５Ｌの飾り図柄および飾り図柄
表示エリア５Ｒの飾り図柄がリーチ態様となって表示された（ｉ）の場面のことである。
【手続補正１７】
【補正対象書類名】明細書
【補正対象項目名】０４２１
【補正方法】変更
【補正の内容】
【０４２１】
なお、図２２Ａ〜図２９では、アクティブ表示変化演出（第１系統変化演出、第２系統
変化演出、第１系統変化演出および第２系統変化演出）が実行されるタイミングによって
成功演出が実行され得る期待度が異なり、例えば、当該変動において第１タイミングで実
行されるアクティブ表示変化演出と第１タイミングよりも遅い第２タイミングで実行され
るアクティブ表示変化演出とがある場合、第２タイミングで実行されるアクティブ表示変
化演出における成功演出が実行され得る期待度が高いことを表している。
【手続補正１８】
【補正対象書類名】図面
【補正対象項目名】全図
【補正方法】変更
【補正の内容】
【図１】
2018033473.tif 000001
【図２】
2018033473.tif 000002
【図３】
2018033473.tif 000003
【図４】
2018033473.tif 000004
【図５】
2018033473.tif 000005
【図６】
2018033473.tif 000006
【図７】
2018033473.tif 000007
【図８】
2018033473.tif 000008
【図９】
2018033473.tif 000009
【図１０】
2018033473.tif 000010
【図１１】
2018033473.tif 000011
【図１２】
2018033473.tif 000012
【図１３】
2018033473.tif 000013
【図１４】
2018033473.tif 000014
【図１５】
2018033473.tif 000015
【図１６】
2018033473.tif 000016
【図１７】
2018033473.tif 000017
【図１８】
2018033473.tif 000018
【図１９】
2018033473.tif 000019
【図２０】
2018033473.tif 000020
【図２１】
2018033473.tif 000021
【図２２Ａ】
2018033473.tif 000022
【図２２Ｂ】
2018033473.tif 000023
【図２３Ａ】
2018033473.tif 000024
【図２３Ｂ】
2018033473.tif 000025
【図２４Ａ】
2018033473.tif 000026
【図２４Ｂ】
2018033473.tif 000027
【図２５Ａ】
2018033473.tif 000028
【図２５Ｂ】
2018033473.tif 000029
【図２６Ａ】
2018033473.tif 000030
【図２６Ｂ】
2018033473.tif 000031
【図２７Ａ】
2018033473.tif 000032
【図２７Ｂ】
2018033473.tif 000033
【図２８】
2018033473.tif 000034
【図２９】
2018033473.tif 000035
【図３０】
2018033473.tif 000036
【図３１】
2018033473.tif 000037